(57)【要約】      （修正有）【課題】関節にマッサージを加えながら異なる角度の変化を実現できる人体関節マッサージ器を提供する。【解決手段】第１のコンポーネント１と、第２のコンポーネント２と、第３のコンポーネント３とを含む複数のヒンジ連結するマッサージコンポーネントを備え、第１のコンポーネントと第３のコンポーネントがそれぞれ第２のコンポーネントの両側にヒンジ連結され、マッサージコンポーネントにそれぞれ空気圧マッサージ用の空気圧モジュールが設置され、第２のコンポーネントに理学療法マッサージ用のマッサージモジュールがさらに設置される。【選択図】図１
0003225685.tif 000002
【実用新案登録請求の範囲】
【請求項１】
第１のコンポーネントと、第２のコンポーネントと、第３のコンポーネントとを含む複数のヒンジ連結するマッサージコンポーネントを備え、前記第１のコンポーネントと前記第３のコンポーネントがそれぞれ前記第２のコンポーネントの両側にヒンジ連結され、前記マッサージコンポーネントにそれぞれ空気圧マッサージ用の空気圧モジュールが設置され、前記第２のコンポーネントに理学療法マッサージ用のマッサージモジュールがさらに設置されることを特徴とする、人体関節マッサージ器。
【請求項２】
前記空気圧モジュールが、複数の前記マッサージコンポーネントにそれぞれ設置されるエアバッグと、前記エアバッグを固定するための固定フレームと、複数の前記エアバッグの空気圧を制御するためのエアバルブ機構とを含み、前記固定フレームが、前記マッサージコンポーネントに設置されることを特徴とする、請求項１に記載の人体関節マッサージ器。
【請求項３】
前記マッサージモジュールは、振動モータと、前記振動モータを固定するための固定板とを含み、前記固定板が前記第２のコンポーネントに配置されることを特徴とする、請求項１に記載の人体関節マッサージ器。
【請求項４】
前記第２のコンポーネントに配置される加熱モジュールをさらに備え、前記加熱モジュールが発熱線を含むことを特徴とする、請求項１に記載の人体関節マッサージ器。
【請求項５】
前記エアバルブ機構は、エアバルブと、電磁弁と、エアパイプとを含み、前記エアバルブと前記電磁弁とが電気信号により接続し、前記エアパイプの一端に前記エアバルブが接続され、他端に複数の前記エアバッグが接続されることを特徴とする、請求項２に記載の人体関節マッサージ器。
【請求項６】
前記空気圧モジュール、マッサージモジュール、および加熱モジュールを制御するための制御装置をさらに備え、前記制御装置は、制御マザーボードと、前記制御マザーボードに配置されるボタンと、前記制御マザーボードに電力を供給するための電池とを含むことを特徴とする、請求項４に記載の人体関節マッサージ器。
【請求項７】
前記空気圧モジュールに配置されるスポンジをさらに備え、前記スポンジが前記マッサージコンポーネントから離れる側に配置されることを特徴とする、請求項１に記載の人体関節マッサージ器。
【請求項８】
前記第１のコンポーネントと前記第２のコンポーネントがヒンジ連結される回転軸は、前記第３のコンポーネントと前記第２のコンポーネントがヒンジ連結される回転軸と平行又は一致することを特徴とする、請求項１に記載の人体関節マッサージ器。
【請求項９】
複数の前記マッサージコンポーネントは、いずれも上蓋と、前記上蓋に合わせて取り付けられる下蓋とを含むことを特徴とする、請求項１に記載の人体関節マッサージ器。
【考案の詳細な説明】
【技術分野】
【０００１】
本考案は、人体関節マッサージ器に関する。
【背景技術】
【０００２】
現在、従来市販されているマッサージ器は、一定角度のマッサージ器であり、使用する際に関節の前側と後側を自由に伸ばしたり曲げたりすることはできなく、便利と言えない。また、このようなマッサージ器は、人体関節の前側と後側が一定角度となす場合のみに使用可能であり、関節が可動する状態で使用することができない。
【考案の概要】
【考案が解決しようとする課題】
【０００３】
本考案は、関節にマッサージを加えながら異なる角度の変化を実現できる人体関節マッサージ器を提供することを目的とする。
【課題を解決するための手段】
【０００４】
上記目的を達成するため、本考案は、第１のコンポーネントと、第２のコンポーネントと、第３のコンポーネントとを含む複数のヒンジ連結するマッサージコンポーネントを備え、前記第１のコンポーネントと前記第３のコンポーネントがそれぞれ前記第２のコンポーネントの両側にヒンジ連結され、前記マッサージコンポーネントにそれぞれ空気圧マッサージ用の空気圧モジュールが設置され、前記第２のコンポーネントに理学療法マッサージ用のマッサージモジュールがさらに設置される、人体関節マッサージ器を提供する。
【０００５】
上記人体関節マッサージ器では、前記空気圧モジュールは、複数の前記マッサージコンポーネントにそれぞれ設置されるエアバッグと、前記エアバッグを固定するための固定フレームと、複数の前記エアバッグの空気圧を制御するためのエアバルブ機構とを含み、前記固定フレームが、前記マッサージコンポーネントに配置される。
【０００６】
上記人体関節マッサージ器では、前記マッサージモジュールは、振動モータと、前記振動モータを固定するための固定板とを含み、前記固定板が前記第２のコンポーネントに配置される。
【０００７】
上記人体関節マッサージ器では、前記第２のコンポーネントに配置される加熱モジュールをさらに備え、前記加熱モジュールが発熱線を含む。
【０００８】
上記人体関節マッサージ器では、前記エアバルブ機構は、エアバルブと、電磁弁と、エアパイプとを含み、前記エアバルブと前記電磁弁とが電気信号により接続し、前記エアパイプの一端に前記エアバルブが接続され、他端に複数の前記エアバッグが接続される。
【０００９】
上記人体関節マッサージ器では、前記空気圧モジュール、マッサージモジュール、および加熱モジュールを制御するための制御装置をさらに備え、前記制御装置が、制御マザーボードと、前記制御マザーボードに配置されるボタンと、前記制御マザーボードに電力を供給するための電池とを含む。
【００１０】
上記人体関節マッサージ器では、前記空気圧モジュールに配置されるスポンジをさらに備え、前記スポンジが前記マッサージコンポーネントから離れる側に配置される。
【００１１】
上記人体関節マッサージ器では、前記第１のコンポーネントと前記第２のコンポーネントがヒンジ連結される回転軸は、前記第３のコンポーネントと前記第２のコンポーネントがヒンジ連結される回転軸と平行又は一致する。
【００１２】
上記人体関節マッサージ器では、複数の前記マッサージコンポーネントは、いずれも上蓋と、前記上蓋に合わせて取り付けられる下蓋とを含む。
【考案の効果】
【００１３】
上記考案により提供される人体関節マッサージ器は、従来技術と比較して、第１のコンポーネントと第３のコンポーネントがそれぞれ第２のコンポーネントの両側にヒンジ連結されることにより、第１のコンポーネントと第３のコンポーネントが第２のコンポーネントに対してヒンジ連結されながら回転することが実現し、人体関節が伸ばしたり曲げたりする場合、第１のコンポーネント、第２のコンポーネント及び第３のコンポーネントはいずれも人体関節に貼り合わせることができ、人体関節に対するマッサージが実現することと、マッサージコンポーネントの各々に設置された独立した空気圧モジュールにより、関節に対する空気圧マッサージが実現し、かつ、第２のコンポーネントにマッサージモジュールが配置されることにより、可動関節に対する理学療法マッサージが実現することとを含む有益な効果がある。
【図面の簡単な説明】
【００１４】
【図１】本考案にかかる人体関節マッサージ器の分解概略図である。
【図２】本考案にかかる人体関節マッサージ器の模式構造図である。
【図３】本考案にかかる第１のコンポーネントの分解概略図である。
【図４】本考案にかかる第２のコンポーネントの分解概略図である。
【図５】本考案にかかる第３のコンポーネントの分解概略図である。
【考案を実施するための形態】
【００１５】
以下、本考案の具体的な実施形態について、図面および実施例を参照しながら、さらに詳細に説明する。以下の実施例は、本考案を説明するために使用されるが、本考案の範囲を限定するものではない。
【００１６】
図１〜５に示すように、本考案は、人体関節マッサージ器を提供し、前記人体関節マッサージ器は、第１のコンポーネント１と、第２のコンポーネント２と、第３のコンポーネント３とを含む複数のヒンジ連結するマッサージコンポーネントを備え、第１のコンポーネント１と第３のコンポーネント３がそれぞれ第２のコンポーネント２の両側にヒンジ連結され、マッサージコンポーネントにそれぞれ空気圧マッサージ用の空気圧モジュールが設置され、第２のコンポーネント２には、理学療法マッサージ用のマッサージモジュールがさらに設置される。ここで、マッサージモジュールの人体に貼り合わせる側の断面は、マッサージモジュールをよりよく人体関節に近く貼り合わせてマッサージをするように、アーク形状となる。
【００１７】
上記技術的特徴に基づき、第１のコンポーネント１と第３のコンポーネント３がそれぞれ第２のコンポーネント２の両側にヒンジ連結されることにより、第１のコンポーネント１と第３のコンポーネント３は、第２のコンポーネント２に対してヒンジ連結されながら回転することが実現し、人体関節が伸ばしたり曲げたりする場合、第１のコンポーネント１、第２のコンポーネント２及び第３のコンポーネント３はいずれも人体関節に貼り合わせることができ、人体関節に対するマッサージが実現する。また、マッサージコンポーネントの各々に設置された独立した空気圧モジュールにより、関節に対する空気圧マッサージが実現する。第２のコンポーネント２にマッサージモジュールが配置されることにより、可動関節に対する理学療法マッサージが実現する。
【００１８】
空気圧モジュールは、複数のマッサージコンポーネントにそれぞれ設置されるエアバッグ４と、エアバッグ４を固定するための固定フレーム５と、複数のエアバッグ４の空気圧を制御するためのエアバルブ９機構とを含み、固定フレーム５は、マッサージコンポーネントに配置される。エアバルブ９機構によりエアバッグ４の空気圧を制御し、これにより、エアバッグ４が関節を押し付けるように包む。本実施例では、第１のコンポーネント１と第３のコンポーネント３のエアバッグ４が長尺状となり、マッサージコンポーネントの内側に貼り合わせることにより、関節の前側と後側を包むように空気圧マッサージをする。第２のコンポーネント２の内周の両側にそれぞれ二つのエアバッグ４が配置されることにより、よりよく可動関節を包むように空気圧マッサージをする。
【００１９】
マッサージモジュールは、振動モータ６と、振動モータ６を固定するための固定板７とを含み、固定板７は、第２のコンポーネント２に配置される。振動モータ６により、マッサージコンポーネントの振動マッサージ機能を実現する。
【００２０】
本考案にかかる人体関節マッサージ器は、第２のコンポーネント２に配置される加熱モジュールをさらに備え、加熱モジュールが発熱線８を含む。発熱線８の作動により、可動関節に対する加熱理学療法が実現し、マッサージの効果がさらに向上する。
【００２１】
エアバルブ９機構は、エアバルブ９と、電磁弁１０と、エアパイプ１１とを含み、エアバルブ９と電磁弁１０とが電気信号により接続し、エアパイプ１１の一端にエアバルブ９が接続され、他端に複数のエアバッグ４が接続される。エアバルブ９は、電磁弁１０により空気をそれぞれエアバッグ４に押し込み、かつ、電磁弁１０により空気を放出し、関節の前側、可動関節、および関節の後側に対して空気圧マッサージをする。
【００２２】
本考案にかかる人体関節マッサージ器は、空気圧モジュール、マッサージモジュール、および加熱モジュールを制御するための制御装置をさらに備え、制御装置は、制御マザーボード１２と、制御マザーボード１２に配置されるボタン１３と、制御マザーボード１２に電力を供給するための電池１４とを含む。ボタン１３により空気圧モジュール、マッサージモジュール、および加熱モジュールの作動マッサージを制御する。ここで、必要に応じて市販されている従来の制御マザーボード１２を選択し、関連設定を行うことができる。
【００２３】
本考案にかかる人体関節マッサージ器は、空気圧モジュールに配置されるスポンジ１５をさらに備え、スポンジ１５は、マッサージコンポーネントから離れる側に配置され、スポンジを配置することにより、マッサージの快適さを向上させる。
【００２４】
第１のコンポーネント１と第２のコンポーネント２がヒンジ連結される回転軸は、第３のコンポーネント３と第２のコンポーネント２がヒンジ連結される回転軸と平行又は一致する。異なるマッサージコンポーネント同士のヒンジ連結を実現して回転を実現するように、必要に応じて異なる数のヒンジ連結軸を設置することができる。
【００２５】
複数のマッサージコンポーネントは、いずれも上蓋１６と、上蓋１６に合わせて取り付けられる下蓋１７とを含む。関連の要素が上蓋１６と下蓋１７の間に配置されることができ、これにより、マッサージコンポーネントの全体がよりきれいになり、かつ取り外しやすくなる。本実施例では、マッサージコンポーネントは、紐が貫通して巻き付けられる紐固定板１８をさらに備える。
【００２６】
さらに、本考案にかかるマッサージモジュールは、振動マッサージ方式に限定されるものではなく、機械的マッサージ方式であってもよい。また、マッサージコンポーネントにおけるマッサージ機能は、加熱機能、空気圧機能及び掻き取り機能を含むが、それらに限定されるものではない。
【００２７】
なお、本考案の説明では、「中央」、「縦方向」、「横方向」、「上」、「下」、「前」、「後」、「左」、「右」、「垂直」、「水平」、「上部」、「下部」、「内部」、「外部」などの用語で示される方向又は位置関係は、図面に示される方向又は位置関係に基づくものであり、考案の説明の便宜と簡易化を目的として使用され、かかる装置又は要素が必ずしも特定な方位をとり、特定な方位で構成して動作することを示す又は示唆することがなく、そのため、本考案に対する制限として理解することはできない。また、「第１」、「第２」、および「第３」という用語は説明の目的にのみ使用され、相対的な重要性を示す又は示唆するものと解釈されるべきではない。
【００２８】
なお、本考案の説明では、「装着」、「連結」、「接続」などの用語は、特に明確に指定および限定されない限り、広い意味で理解されるべきである。例えば、固定的に接続してもよく、着脱可能に接続してもよく、一体的に接続してもよい。機械的に接続してもよく、電気的に接続してもよい。直接に接続してもよく、中間媒介を介して間接に接続してもよく、二つの要素内部の連通であってもよい。当業者であれば、本考案における上記用語の具体的な意味について、具体的な状況を参照しながら理解できる。
【００２９】
また、本考案の説明において、特に断らない限り、「複数」の意味は２つ或いはそれ以上である。
【００３０】
以上は本考案の好ましい実施形態に過ぎない。なお、当業者であれば、本考案の技術的原理から逸脱することなく、いくつかの改良および置換を行うことができ、これらの改良および置換も本考案の保護範囲内とみなされる。
【符号の説明】
【００３１】
１・・・第１のコンポーネント
２・・・第２のコンポーネント
３・・・第３のコンポーネント
４・・・エアバッグ
５・・・固定フレーム
６・・・振動モータ
７・・・固定板
８・・・発熱線
９・・・エアバルブ
１０・・・電磁弁
１１・・・エアパイプ
１２・・・制御マザーボード
１３・・・ボタン
１４・・・電池
１５・・・スポンジ
１６・・・上蓋
１７・・・下蓋
１８・・・紐固定板
【図１】
0003225685.tif 000003
【図２】
0003225685.tif 000004
【図３】
0003225685.tif 000005
【図４】
0003225685.tif 000006
【図５】
0003225685.tif 000007